(57)【要約】【課題】ソーラーパネルを屋根上に設置する作業性を向上させることができるとともに、屋根面積の有効活用が図れるソーラーパネルの屋根上設置用の取付金具を提供する。【解決手段】屋根Ｙの架台Ｋ上にソーラーパネルＳを取り付けるための取付金具Ｔで、一方のソーラーパネルＳ１に取り付けられる支持金具１０と、他方のソーラーパネルＳ２に設けられる挿入部材１とを備える。支持部材１０は、架台Ｋ上に取り付けられるベース部１１と、ベース部１１の一端部から上側に延びた後に他方側に弾力的に折り曲げられてベース部１１上方に位置する対面部１５とを備え、ベース部１１と対面部１５との間に、一方のソーラーパネルＳ１の内側に突出する第１挿入辺部Ｓｃと、他方のソーラーパネルＳ２の外側に突出する挿入部材１の第２挿入辺部２とが差込まれる挿入空間部２０が形成され、両辺部Ｓｃ，２はベース部１１と対面部１５に挟まれて一緒に弾力的に保持される。【選択図】図３
2013159971.tif 000002
【特許請求の範囲】
【請求項１】
屋根上に設置された架台上にソーラーパネルを取り付けるためのソーラーパネルの取付金具であって、
該取付金具は、架台上に取り付けられるベース部と、該ベース部の一方の端部から上側に延びた後に他方の端部側に弾力的に折り曲げられて該ベース部の上方に間隔を空けて設けられる対面部とを有し、該ベース部と該対面部との間の間隔に、互いに隣接するソーラーパネルの一方のソーラーパネルの内側に突出する端部と、他方のソーラーパネルの外側に突出する端部とが差込まれる挿入空間部が形成される支持金具を備え、
該対面部の下面及び該ベース部の上面の少なくとも一方に、挿入される一方のソーラーパネルの端部に弾力的に接触する当接部が設けられ、
隣接する２つのソーラーパネルの両端部が該挿入空間部で該ベース部と該対面部とに挟まれて一緒に当接部により弾力的に保持されることを特徴とするソーラーパネルの取付金具。
【請求項２】
請求項１記載のソーラーパネルの取付金具において、
隣接するソーラーパネルの一方のソーラーパネルの該端部には内側に突出する第１挿入辺部が設けられ、
他方のソーラーパネルの該端部には外側に突出する第２挿入辺部が設けられ、
該第１挿入辺部及び該第２挿入辺部が、上記挿入空間部に挿入されて、該ベース部と該対面部とに挟まれて一緒に重なって弾力的に保持されることを特徴とするソーラーパネルの取付金具。
【請求項３】
請求項１又は２記載のソーラーパネルの取付金具において、
該他方のソーラーパネルの該端部には内側に突出する内側辺部が設けられ、
該内側辺部を弾力的に押圧する弾力押圧部が、上記支持金具に設けられていることを特徴とするソーラーパネルの取付金具。
【請求項４】
請求項３に記載のソーラーパネルの取付金具において、
該他方のソーラーパネルに設けられる該第２挿入辺部が、該他方のソーラーパネルのソーラーパネル本体と別体の挿入部材であり、
該挿入部材が該他方のソーラーパネルの該内側辺部に取り付けられていることを特徴とするソーラーパネルの取付金具。
【請求項５】
請求項４に記載のソーラーパネルの取付金具において、
該挿入部材は、上記ベース部の幅方向両端部に当接する幅規制部を有することを特徴とするソーラーパネルの取付金具。
【請求項６】
請求項４に記載のソーラーパネルの取付金具において、
該支持金具が複数個で設けられ、
該挿入部材が、上記複数個の支持金具の該挿入空間部に跨って挿入される１つの部材で形成されていることを特徴とするソーラーパネルの取付金具。
【請求項７】
請求項４ないし６のいずれか１つに記載のソーラーパネルの取付金具において、
該挿入部材は、反挿入方向の端部に、下側方向に向かった後に該第２挿入辺部側に向いて折れ曲がった屈曲部を備え、
該ベース部には、他方の端部に、該屈曲部を支持する支持部を備えることを特徴とするソーラーパネルの取付金具。
【請求項８】
請求項１ないし７のいずれか１つに記載のソーラーパネルの取付金具において、
該当接部は、該ベース部の上面に設けられた第１当接部と、該対面部の下面に設けられた第２当接部とからなり、
該第１当接部及び該第２当接部はそれぞれ該ベース部及び該対面部の一部を折り曲げて形成されていることを特徴とするソーラーパネルの取付金具。
【請求項９】
請求項８に記載のソーラーパネルの取付金具において、
該第１当接部及び該第２当接部は、該挿入空間部に挿入されるソーラーパネルの該端部の挿入方向にずれた位置に設けられていることを特徴とするソーラーパネルの取付金具。
【発明の詳細な説明】
【技術分野】
【０００１】
本発明は、ソーラーパネルを屋根上等に取り付ける際の取付金具に関する。
【背景技術】
【０００２】
従来、既設家屋の屋根上に架台を介してソーラーパネルを設置する方法として、以下のようなものが一般的に知られている。架台が横フレームと縦フレームからなっている。架台の縦フレームが、南側に面している屋根の上に、縦方向（屋根の勾配方向）に間隔をおいて平行に複数配置されている。この縦フレームは、脚部により屋根部材上に取り付けられている。縦フレームと直角な方向に架台の横フレームが横方向（勾配と直角な方向）に間隔をおいて平行に複数配置されている。２本の横フレームに跨って、ソーラーパネルが取り付けられるようになっている。
【０００３】
例えば、特許文献１では、架台がＣ形鋼とハット形鋼とからなっている。複数のＣ形鋼が屋根上に横方向に配置され、立設ねじを既に設けたハット形鋼が屋根上に縦方向に配置されている。このハット形鋼をＣ形鋼材にボルト及びナットにて固定した後、隣接する２つのソーラーパネルのお互いの縁部をハット形鋼の上板部に載せ、押さえ板にて両ソーラーパネルの縁を下方に押さえてこれを固定するようになっている。こうして、横並びに隣接する２つのソーラーパネルの縁部をハット形鋼の上板部に一緒に押さえ板で押え、立設ねじのナットを螺合することで、一緒に架台に取り付けるようになっている。
【先行技術文献】
【特許文献】
【０００４】
【特許文献１】特開平０８−３１２０８８号公報
【発明の概要】
【発明が解決しようとする課題】
【０００５】
しかしながら、上記特許文献１では、両ソーラーパネルの縁部を架台のハット形鋼に取り付けるときに、作業者は立設ねじにナットを手で差し込み、ナットを回して螺合しなくてはならず、作業性に劣る。特に、このような作業のために、屋根上に２列で前記ソーラーパネルを配置する場合には、２列目のソーラーパネルの取り付けのためには、１列目のソーラーパネルが邪魔になって離れた部分から作業することがある。その場合には、難しい姿勢になって作業する必要があり、且つソーラーパネルを損傷しないように注意を払って作業する必要があり、作業性に劣る欠点がある。
【０００６】
この欠点は、架台の２本の縦フレームに縦方向に複数のソーラーパネルを縦並びに取り付けて、更にその横列に２列目を取り付けるものについても、同様に生じる。
【０００７】
本発明は、上記の事情に鑑み、ソーラーパネルを屋根上に設置する作業性を向上させることができるとともに、屋根面積の有効活用が図れるソーラーパネルの屋根上設置用の取付金具を提供することを目的とする。
【課題を解決するための手段】
【０００８】
本発明は、屋根上に設置された架台上に隣接する２つのソーラーパネルの縁部を一緒に取り付ける際のソーラーパネルの取付金具であって、隣接する２つのソーラーパネルの縁部間にボルトやナット等の取付部材を設けなくても、取り付けられるようにしたものである。
【０００９】
具体的には、請求項１の発明は、屋根上に設置された架台上にソーラーパネルを取り付けるためのソーラーパネルの取付金具であって、該取付金具は、架台上に取り付けられるベース部と、該ベース部の一方の端部から上側に延びた後に他方の端部側に弾力的に折り曲げられて該ベース部の上方に間隔を空けて設けられる対面部とを有し、該ベース部と該対面部との間の間隔に、互いに隣接するソーラーパネルの一方のソーラーパネルの内側に突出する端部と、他方のソーラーパネルの外側に突出する端部とが差込まれる挿入空間部が形成される支持金具を備えている。また、該対面部の下面及び該ベース部の上面の少なくとも一方に、挿入される一方のソーラーパネルの端部に弾力的に接触する当接部が設けられ、隣接する２つのソーラーパネルの両端部が該挿入空間部で該ベース部と該対面部とに挟まれて一緒に当接部により弾力的に保持されることを特徴とする。
【００１０】
請求項２の発明は、請求項１記載のソーラーパネルの取付金具において、隣接するソーラーパネルの一方のソーラーパネルの該端部には内側に突出する第１挿入辺部が設けられ、他方のソーラーパネルの該端部には外側に突出する第２挿入辺部が設けられ、該第１挿入辺部及び該第２挿入辺部が、上記挿入空間部に挿入されて、該ベース部と該対面部とに挟まれて一緒に重なって弾力的に保持されることを特徴とする。
【００１１】
請求項３の発明は、請求項１又は２記載のソーラーパネルの取付金具において、該他方のソーラーパネルの該端部には内側に突出する内側辺部が設けられ、該内側辺部を弾力的に押圧する弾力押圧部が、上記支持金具に設けられていることを特徴とする。
【００１２】
請求項４の発明は、請求項３に記載のソーラーパネルの取付金具において、該他方のソーラーパネルに設けられる該第２挿入辺部が、該他方のソーラーパネルのソーラーパネル本体と別体の挿入部材であり、該挿入部材が該他方のソーラーパネルの該内側辺部に取り付けられていることを特徴とする。
【００１３】
請求項５の発明は、請求項４に記載のソーラーパネルの取付金具において、該挿入部材は、上記ベース部の幅方向両端部に当接する幅規制部を有することを特徴とする。
【００１４】
請求項６の発明は、請求項４に記載のソーラーパネルの取付金具において、該支持金具が複数個で設けられ、該挿入部材が、上記複数個の支持金具の該挿入空間部に跨って挿入される１つの部材で形成されていることを特徴とする。
【００１５】
請求項７の発明は、請求項４ないし６のいずれか１つに記載のソーラーパネルの取付金具において、該挿入部材は、反挿入方向の端部に、下側方向に向かった後に該第２挿入辺部側に向いて折れ曲がった屈曲部を備え、該ベース部には、他方の端部に、該屈曲部を支持する支持部を備えることを特徴とする。
【００１６】
請求項８の発明は、請求項１ないし７のいずれか１つに記載のソーラーパネルの取付金具において、該当接部は、該ベース部の上面に設けられた第１当接部と、該対面部の下面に設けられた第２当接部とからなり、該第１当接部及び該第２当接部はそれぞれ該ベース部及び該対面部の一部を折り曲げて形成されていることを特徴とする。
【００１７】
請求項９の発明は、請求項８に記載のソーラーパネルの取付金具において、該第１当接部及び該第２当接部は、該挿入空間部に挿入されるソーラーパネルの該端部の挿入方向にずれた位置に設けられていることを特徴とする。
【発明の効果】
【００１８】
請求項１の発明によると、取付金具によりソーラーパネルが上下方向（屋根に対して接離する方向）に弾力的に支持されているので、風の影響等でソーラーパネルが浮き上がる力を受けた際に、その力を吸収でき、取付部分が外れにくくなっている。
【００１９】
それと共に、一方のソーラーパネルの端部と他方のソーラーパネルの端部とが、ボルトやナット等の別の締結部品を用いること無く取り付けることができる。そのために、作業者がソーラーパネルの間に入ってボルトやナットで取り付けることが必要でなく、或いは作業用のスペースを設けることも不要であり、ボルトやナットを所持することや落とす心配をすることも全く必要でなくなり、作業性に優れる。
【００２０】
請求項２の発明によると、一方のソーラーパネルの第１挿入辺部と他方のソーラーパネルの第２挿入辺部の組み付け作業性に優れる。
【００２１】
請求項３の発明によると、他方のソーラーパネルの第２挿入辺部が挿入空間と弾力押圧部により弾力的に支持されるので、風の影響等でソーラーパネルが浮き上がる力を受けた際に、その力を吸収でき、取付部分が外れにくくなる点で、更にその機能が向上できる。
【００２２】
請求項４の発明によると、挿入部材を別に設けることにより、各種のソーラーパネルに適用し易くなる。
【００２３】
請求項５の発明によると、挿入部材は、支持金具の幅方向両端部に当接する幅規制部を有するので、組付け時の挿入部材と支持金具の位置合わせが容易になると共に、お互いのソーラーパネルが幅方向にずれたり捩れたりすることを防止できる。
【００２４】
請求項６の発明によると、複数の支持金具間の幅よりも広い幅広の挿入部材を設けることで、屋根上の架台に取り付けられる支持金具の位置と、他方のソーラーパネルに取り付けられる挿入部材の取付位置とが異なっていても、挿入部材を挿入空間部に挿入することができる。
【００２５】
即ち、支持金具の取付位置は、屋根や架台の形状や位置に基づいて設定される場合があるが、挿入部材をソーラーパネルに取り付ける位置は、屋根や架台の形状や位置の影響を受けずに、ソーラーパネルによって決められる。したがってソーラーパネルの種類によって挿入部材の取付位置が異なっていても、共通の挿入部材を用いることができる。
【００２６】
請求項７の発明によると、屈曲部が支持部に支持されることにより、他のソーラーパネルが挿入空間と支持部とにより弾力的に支持されるので、外部から風の影響を受けても浮き上がり難くなっており、支持性能に優れる。
【００２７】
請求項８の発明によると、第１当接部及び第２当接部はそれぞれベース部及び対面部の一部をそれぞれ折り曲げて形成されているので、簡単に形成できる。
【００２８】
請求項９の発明によると、第１当接部及び第２当接部は、挿入空間部に挿入されるソーラーパネルの端部の挿入方向にずれた位置に設けられているので、第１挿入辺部や第２挿入辺部を挿入空間に挿入する際の挿入作業性に優れる。
【図面の簡単な説明】
【００２９】
【図１】本発明の実施形態１に係わる取付金具の斜視図である。
【図２】本発明の実施形態１に係わる取付金具を屋根上の架台に取り付ける状態を説明する取付金具等の断面図である。
【図３】図２の要部拡大断面図である。
【図４】屋根の架台、ソーラーパネル及び取付金具の取り付け状態を模式的に示す斜視図である。
【図５】本発明の実施形態２に係わる取付金具の斜視図である。
【図６】本発明の実施形態３に係わる取付金具を示す図３相当図である。
【図７】本発明の実施形態４に係わる挿入部材をソーラーパネルに取り付ける状態を示す斜視図である。
【図８】本発明の実施形態４に係わる取付金具と折半屋根との関係を示す斜視図である。
【図９】図８の要部拡大斜視図である。
【発明を実施するための形態】
【００３０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３１】
（実施形態１）
以下、本発明の実施形態１に係わるソーラーパネルの取付金具Ｔについて、図１〜図３に基づいて説明する。なお、図１において、左下方向を挿入方向と称し、右上方向を反挿入方向と称し、左上方向と右下方向とを幅方向と称し、上下をそのまま上下方向と称す。
【００３２】
取付金具Ｔは、架台Ｋの横フレームＫ１に取り付けられる支持金具１０と、ソーラーパネルＳ２の端部として該ソーラーパネルＳ２のソーラーパネル本体Ｓ２１に設けられる挿入部材１とからなる（それぞれの取り付け状態は後述する）。
【００３３】
支持金具１０は、板状のバネ鋼材からなっており、架台Ｋの横フレームＫ１に取り付けられる略矩形状のベース部１１を備える。支持金具１０は、ベース部１１の挿入方向側の端部（一方の端部）１１ａから上側に延びた後に反挿入方向に弾力的に折り曲げられてベース部１１の上方に間隔を空けて対向して設けられた対面部１５を一体に有している。ベース部１１の上面１２には、その一部を例えば断面く字状に折り曲げることで所定寸法だけ上方向に突出した第１当接部１３が形成されている。対面部１５の下面１６には、その先端部近くの一部を例えば断面く字状に折り曲げることで所定寸法だけ下方向に突出した第２当接部１７が形成されている。
【００３４】
前記ベース部１１と対面部１５との間には、隣接する一方のソーラーパネルＳ１の反挿入方向側端部Ｓｂに位置して内側（パネル中央側）に突出する第１挿入辺部Ｓｃと、このソーラーパネルＳ１の反挿入方向側に隣接する他方のソーラーパネルＳ２の挿入方向側端部Ｓｂに設けられた前記挿入部材１の第２挿入辺部２とが差込まれる挿入空間部２０が形成されている。すなわち、図２に示すように、この挿入空間部２０内に第１挿入辺部Ｓｃ及び第２挿入辺部２が挿入され、対面部１５の第２当接部１７に一方のソーラーパネルＳ１の端部Ｓｂに設けられた第１挿入辺部Ｓｃが当接し、ベース部１１の第１当接部１３に他方のソーラーパネルＳ２の端部Ｓｂに設けられた挿入部材１の第２挿入辺部２が当接し、第１挿入辺部Ｓｃと第２挿入辺部２とが重なった状態で第１当接部１３と第２当接部１７とに挟まれて弾力的に支持される。
【００３５】
なお、第２当接部１７が挿入方向に見て、第１当接部１３に比べて一方の端部１１ａに近い位置にずれて設けられている（第２当接部１７の位置が第１当接部１３よりも挿入方向にずれている）。この構成により、一方のソーラーパネルＳ１の端部Ｓｂに設けられた第１挿入辺部Ｓｃ及び他方のソーラーパネルＳ２の端部Ｓｂに取り付けられた挿入部材１の第２挿入辺部２が、斜め上方から挿入される時に挿入し易くなっている（図２参照）。
【００３６】
ベース部１１の反挿入方向側には、前記第２当接部１７と同様にして、上方向に折り曲げられてく字状に突出する弾力押圧部２１が設けられ、この弾力押圧部２１の突出高さは第２当接部１７とほぼ同じである。弾力押圧部２１のさらに反挿入方向側である端部には、反挿入方向に向かって斜め上方向に折り曲げてなる支持部２２が一体に設けられている。前記弾力押圧部２１が弾力的に挿入部材１の基部１ａを介して間接的に、該挿入部材１が取り付けられる他方のソーラーパネルＳ２の端部Ｓｂの内側辺部３を押圧して支持するようになっている。また、支持部２２に、挿入部材１の後述する屈曲部５が差込まれて、該挿入部材１の浮き上がりが防止されるようになっている。同時に、挿入部材１の屈曲部５がこの支持部２２に支持されることで、挿入部材１の挿入方向の位置決めがされるようになっている。なお、挿入方向の位置決めは、この支持部２２で行わずに、他の構成で行うようにしても良い。また、支持部２２の幅方向中央位置には欠損部２４が設けられ、挿入部材１を螺合するボルトＢとの干渉が防止されるようになっている。
【００３７】
対面部１５には、ボルトＢを回し操作するための工具（図示せず）が通る工具用の孔２３が設けられている。工具用の孔２３の下方向のベース部１１には、ボルトＢを挿通する孔２５が設けられている。ボルトＢを挿通する孔２５は、第１当接部１３と弾力押圧部２１との間のベース部１１にも設けられている。図２及び図３に示すように、これらの２つの孔２５と横フレームＫ１の孔Ｋ３とにボルトＢを挿通して、ナット（図示省略）で螺合することによって、支持金具１０が横フレームＫ１に固定されるようになっている。
【００３８】
次に、挿入部材１について説明する。他方のソーラーパネルＳ２の挿入方向側端部Ｓｂには、パネル中央側である内側に突出する内側辺部３が一体に設けられている。挿入部材１は、内側辺部３の下面に接触する基部１ａと、この基部１ａに連続してソーラーパネルＳ２の挿入方向端部Ｓｂよりも外側（挿入方向側）に突出する第２挿入辺部２とを備える。また、基部１ａの反挿入方向の端部（パネル内側方向端部）には、下側方向に向かった後に第２挿入辺部２側に向いて弾力的に折れ曲がった屈曲部５が一体に設けられている。この屈曲部５が、前記ベース部１１の支持部２２と横フレームＫ１とに挟まれることで、挿入部材１の他端部側が弾力的にベース部１１に支持される。第２挿入辺部２の幅方向両側には、下側に折り曲げられた幅規制部４が一体に設けられている。両幅規制部４間の幅寸法は、ベース部１１の幅方向寸法よりも僅かに広い大きさになっており、取り付け時に両幅規制部４をベース部１１と干渉させることにより、挿入部材１（即ち他のソーラーパネルＳ２）が幅方向にずれたり搖動したりすることを防止できるようにするとともに、取り付け作業も容易に行えるようになっている。また、幅規制部４の挿入方向端部は、挿入方向に向かって上側に向かうように傾斜して切り欠かれており、挿入部材１を挿入空間２０に挿入する際に、支持金具１０にスムーズに外挿され易くなっている。
【００３９】
挿入部材１の他方（反挿入方向）の端部には、端部の幅方向の一部（例えば中央部）を切り起こすことで、屈曲部５と反対方向たる上方向に突出する突起６が設けられている。この突起６が、前記他方のソーラーパネルＳ２の内側辺部３の端部に当接することで、挿入部材１が回転することが防止される。更に、ソーラーパネルＳ２に対する挿入部材１の位置決めを簡単に設定して組み立て易くなるようになっている。
【００４０】
挿入部材１の基部１ａには、突起６よりも挿入方向側の位置にボルトＢが挿通される孔７が設けられている。この孔７にボルトＢが挿通されて、挿入部材１が他のソーラーパネルＳ２の内側辺部３に一体的に取り付け固定される。なお、孔７は一カ所であるが、一カ所に限られるものではなく、幅方向に或いは挿入方向に複数ヶ所設けて、挿入部材１が回転しないように取り付けても良い。
【００４１】
実施形態１では、挿入部材１がボルトＢで他のソーラーパネルＳ２に固定されていると共に、ソーラーパネルＳ２の端部に突起６が当接することで、挿入部材１が他のソーラーパネルＳ２に対して相対的に回転することが阻止されるようになっている。
【００４２】
次に、屋根の架台、ソーラーパネル及び取付金具の取り付け状態を図２〜図４に基づいて、説明する。なお、図４においては、その上下方向を屋根の縦方向と称し、左右方向を屋根の横方向と称す。
【００４３】
図４に示すように、屋根Ｙに、架台Ｋが既知の手段で設けられている。架台Ｋは、屋根Ｙの縦方向に沿って延びる複数の縦フレームＫ２が屋根の横方向に所定間隔を空けて、屋根Ｙの上に沿って傾斜して設置されている。この縦フレームＫ２の上に複数の第１横フレームＫ１が屋根の縦方向に所定間隔で取り付けられている。この横フレームＫ１は断面略Ｃ字形状のＣ形鋼からなる。屋根の縦方向に間隔を空けて設けられた２列の横フレームＫ１とＫ１とに跨って、ソーラーパネルＳ１，Ｓ２が取り付けられるようになっている。そのために、各ソーラーパネルＳ１，Ｓ２の取り付け位置、即ち屋根の縦方向に見てソーラーパネルＳ１，Ｓ２の上側端部の左右２カ所及び下側端部の左右２カ所の計４カ所に合わせて取付金具Ｔが用いられる。取付金具Ｔの支持金具１０は、ソーラーパネルＳ１，Ｓ２の取付けに先立って予め、横フレームＫ１にボルトＢで取り付けられている。これらの支持金具１０に、一方のソーラーパネルＳ１の第１挿入辺部Ｓｃと、他方のソーラーパネルＳ２と一体の挿入部材１とが挿入されて両ソーラーパネルＳ１及びＳ２が取り付けられる。
【００４４】
具体的には、図２及び図３に示すように、屋根Ｙの縦方向に沿って隣接する２つのソーラーパネルＳ１，Ｓ２のうちの一方のソーラーパネルＳ１が、２つの横フレームＫ１とＫ１とに跨って取り付けられる。まず、一方のソーラーパネルＳ１の挿入側端部Ｓｂに取り付けられた挿入部材１が、既に取付固定されている支持金具１０における挿入方向側の支持部材１０の挿入空間２０に挿入されると共に、一方のソーラーパネルＳ１の反挿入側端部にある第１挿入辺部Ｓｃが反挿入方向側に取付固定されている支持金具１０の支持部材１０の挿入空間２０に挿入される。
【００４５】
次いで、一方のソーラーパネルＳ１の反挿入方向側にセットされる他方のソーラーパネルＳ２について、その挿入方向側の端部Ｓｂに取り付けられた挿入部材１の第２挿入辺部２が、前記第１挿入辺部Ｓｃとベース部１１の第１当接部１３との間に挿入される。これによって、ソーラーパネルＳ１の第１挿入辺部ＳｃとソーラーパネルＳ２に取り付けられた挿入部材１の第２挿入辺部２とがベース部１１の第１当接部１３と対面部１５の第２当接部１７とに弾力的に挟まれて支持される。
【００４６】
他方のソーラーパネルＳ２の反挿入方向にセットされる更に別のソーラーパネルも上述した他のソーラーパネルと同様にして、取り付けられる。
【００４７】
このようにして、図４に示すように、屋根の横方向の例えば右の列のソーラーパネル群が順次取り付けられる。その後、その左側の列のソーラーパネル群も同様にして取り付けられる。
【００４８】
上記で説明したように、実施形態１では、ソーラーパネルＳが屋根上の架台Ｋに弾力的に取り付けられ、ソーラーパネルＳが（屋根に対して接離する方向に）弾力的に支持されているので、風の影響等でソーラーパネルＳが浮き上がる力を受けた際に、その力を吸収でき、取付部分が外れにくくなっている。
【００４９】
さらに、実施形態１では、支持金具１０におけるベース部１１の支持部２２に挿入部材１の屈曲部５が当接することで、他方のソーラーパネルＳ２の挿入位置が所定位置に納まるので、一方のソーラーパネルＳ１の端部Ｓｂと他方のソーラーパネルＳ２の端部Ｓｂとの間隔が一定に安定して得られる。その結果、作業者の作業状態に関係なく、ソーラーパネル間を一定間隔に保持して施工できるので、この間隔をできるだけ狭くして、ソーラーパネルを密集して配置できるようになり、屋根上のスペースを有効に利用することができる。
【００５０】
その上、実施形態１では、一方のソーラーパネルＳ１の端部Ｓｂと他方のソーラーパネルＳ２の端部Ｓｂとが、ボルトやナット等の締結部品を別途用いること無く取り付けることができる。実施形態１では、作業者がソーラーパネルＳ，Ｓの間に入ってボルトやナットで取り付けることが必要でないので、ソーラーパネルの上に乗って作業をしたり作業用のスペースを設けたりすることも不要であり、ボルトやナットを所持することや落とす心配をすることも全く必要でなくなり、作業性に優れる。
【００５１】
なお、実施形態１では、図４における屋根の縦方向に見て一番下のソーラーパネルＳの下端部及び一番上のソーラーパネルの上端部でも本発明の実施形態に係る取付金具Ｔを使用しても良いが、施工後に取付金具が一部露出するので、それを嫌う場合には、実施形態の取付金具Ｔでなく、別の取付金具を用いるようにしても良い。
【００５２】
実施形態１において、支持部２２の反挿入方向で且つ幅方向の両端部は、幅を狭めた傾斜形状或いは湾曲形状として、挿入部材１を挿入し易く形成しても良い。
【００５３】
（実施形態２）
実施形態２について、図５に基づいて説明する。実施形態２では、実施形態１と異なる部分のみ説明し、同じ部分の説明は省略する。
【００５４】
実施形態２では、挿入部材１の他方側方向（反挿入方向）の幅が、挿入部材１の一方側方向（挿入方向）の幅よりも例えば段差状に広くなっている。この広い部分に孔７が幅方向に間隔を空けて２カ所設けられ、２カ所で挿入部材１がソーラーパネルＳの内側辺部３にボルト締めされるようになっており、このことで挿入部材１が所定位置にしっかりと取り付けられる。
【００５５】
また、それに伴って、挿入部材１の反挿入方向端部から下方に折り曲げられて形成される屈曲部５は、幅狭に形成され、２つの孔７の下方位置が空いた空間（屈曲部５が存在しない空間）になっている。孔７，７にボルトを挿通して、挿入部材１を内側辺部３にボルト締めする際に工具を使用するスペースとして、上記空間が利用される。
【００５６】
こうして屈曲部５が幅狭になっているので、これに合わせて、支持金具１０の支持部２２も他の部分よりも幅狭に形成している。即ち、ベース部１１の幅方向両側に欠損部２４が設けられ、幅方向中央に支持部２２が設けられている。
【００５７】
また、支持金具１０の幅方向端部１０ａは、挿入部材１の幅規制部４の幅よりも僅かに狭くなって、挿入部材１を挿入した際に内挿されるように形成されている。なお、支持金具１０の幅方向端部１０ａであっても、挿入部材１が被さらない部分、即ち支持金具１０の挿入方向端部側は、上記幅に合わせる必要性がなく、実施形態２では幅広に形成されている。挿入部材１の幅規制部４を折り曲げて形成しやすくするために、スリット８が幅規制部４の挿入方向後端部の位置に設けられている。
【００５８】
実施形態２では、挿入部材１の基部１ａの一部及び第２挿入辺部２の幅に対応して、支持金具１０の幅方向両端１０ａ，１０ａの幅が形成され、ベース部１１の挿入方向端部側の幅は、幅広に形成されているが、ベース部１１の挿入方向端部側の幅も、挿入部材１の基部１ａの一部及び第２挿入辺部２の幅に対応した幅方向両端１０ａ，１０ａの幅になるように幅狭としても良い。
【００５９】
なお、挿入部材１の幅規制部４の挿入方向の長さは、ベース部１１の第２当接部１７及び弾力押圧部２１に被さる長さに形成されて、挿入部材１のズレ防止の機能を賄っているが、この幅規制部４の挿入方向の長さを短くして、即ち、第２当接部１７に被さらずに弾力押圧部２１のみに被さる長さに留めて、支持金具の剛性を高めても良い。
【００６０】
（実施形態３）
実施形態３について、図６に基づいて説明する。実施形態３では、実施形態１と異なる部分のみ説明し、同じ部分の説明は省略する。
【００６１】
上記実施形態１及び２では、第２挿入辺部２として、別体の挿入部材１が他のソーラーパネルＳ２の端部Ｓｂに設けられているが、実施形態３では、第２挿入辺部２０１が他のソーラーパネルＳ２の縁部に、挿入方向（外向き方向）に突出して一体に設けられている。また、支持金具１０の弾力押圧部２１は、第１当接部１３と共に第２挿入辺部２０１を弾力的に押圧するように設けられている。一方のボルトＢ用の孔２５が、反挿入方向端部側に設けられ、支持部２２は不要であり、省略されている。
【００６２】
実施形態３では、挿入部材１を別途設ける必要性がなく、コストダウンできる。特に、ソーラーパネルとして、その縁部に、外向き方向に突出したフランジ部が一体に設けられたタイプのソーラーパネルが知られており、このようなタイプのソーラーパネルのフランジ部をそのまま、本発明の第２挿入辺部２０１として利用することも可能であり、利用可能性が拡大できる。
【００６３】
なお、第２挿入辺部２０１を挿入空間部２０に挿入する際の挿入方向の位置決めは、設けることが好ましい。その場合に、取付金具Ｔと別途に設けても良いが、この取付金具Ｔに設けるようにしても良い。例えば、支持金具１０に、第２挿入辺部２０１の挿入方向先端が当接するストッパーを設けても良い。また、第２挿入辺部２０１の上面に一方のソーラーパネルＳ１の端部Ｓｂの外面に接触するストッパーのようなものを設けるようにしても良い。
【００６４】
（実施形態４）
実施形態４について、図７に基づいて説明する。実施形態４では、実施形態１と異なる部分のみ説明し、同じ部分の説明は省略する。
【００６５】
具体的には、他のソーラーパネルＳ２の端部Ｓｂに、別途設けられる挿入部材が幅広の挿入部材１０１で構成されている。即ち、挿入部材１０１の幅Ｌ３が、２つの支持金具１０の間隔Ｌ１に比較して幅方向に広くなって形成されており、２つの支持金具１０，１０に跨って１つの挿入部材１０１で対応できるようになっている。屈曲部１０５は、幅方向全幅に亘って設けられ、支持金具１０の位置が異なっていても、屈曲部１０５が支持部２２に係止されるようになっている。
【００６６】
この挿入部材１０１を他のソーラーパネルＳ２に取り付ける部分（孔１０７）は、例えば、間隔Ｌ２の部分に２ヶ所設けている。なお、この孔１０７、屈曲部１０５、突起１０６は、この位置に限られるものではなく、他の場所でも可能であり、２ヶ所でなく、他の数量にしても良い。特に、支持金具１０の位置や数量に拘束されることなく、孔１０７、屈曲部１０５、突起１０６の位置や数量を自由に設定できるので、設計の自由度が拡大できる。この構成では、一方のソーラーパネルＳ１に取り付けられる支持金具１０の間隔が異なる場合でも、共通の挿入部材１０１を利用できる。
【００６７】
図８及び図９に基づいて、折半屋根Ｙ１にソーラーパネルＳ１，Ｓ２を取り付ける場合に、本発明の実施形態４の取付金具Ｔを適用した場合について説明する。
【００６８】
折半屋根Ｙ１では、凸部Ｙ２と凹部Ｙ３とが、屋根幅方向に並んで設けられ、同じ間隔で繰り返される構造になっている。凸部Ｙ２の幅方向両側は傾斜面部Ｙ４である。このような折半屋根Ｙ１では、凸部Ｙ２の頂面の上に取付金具Ｔが設けられる。具体的には、図９に示すように、上部にベース部Ｋ１２を有する断面略コ字状の架台Ｋ１１が折半屋根Ｙ１に取り付けられる。架台Ｋ１１の両側辺部Ｋ１３が、折半屋根Ｙ１の凸部Ｙ２の傾斜面部Ｙ４にボルト等で固定される。この架台Ｋ１１のベース部Ｋ１２の上面に支持金具１０がボルト等で取り付けられる。そして、幅方向２ヶ所に適当な間隔を開けて取り付けられる支持金具１０，１０に跨るように、一方のソーラーパネルＳ１がセットされ、他方のソーラーパネルＳ２の挿入部材１０１（図８及び図９では省略）が支持金具１０に取り付けられる。この場合には、図７〜図９に示すように、支持金具１０の間隔Ｌ１は切片屋根Ｙの凸部Ｙ２の間隔で設定される。それに対して、挿入部材１０１は、上記間隔Ｌ１よりも長い幅Ｌ３で設けられているので、どの位置でも支持金具１０に取り付けることができ、組み立て易い。
【００６９】
なお、この折半屋根Ｙ１でも、実施形態１や２の挿入部材１や実施形態３の第２挿入辺部２０１を使用しても差し支えない。
【００７０】
上記実施形態１及び２では、他のソーラーパネルＳ２の内側辺部３、一方のソーラーパネルＳ１の第１挿入辺部Ｓｃは、それぞれソーラーパネルＳ２，Ｓ１の幅方向全体にわたって形成されているが、幅全体に形成されてなくても良い。また、実施形態３では、第２挿入辺部２０１は、ソーラーパネルＳ２の幅全体にわたって形成されているが、幅全体に形成されてなくても良い。
【００７１】
実施形態１〜４は組合せて使用することも可能である。
【００７２】
本発明では、実施形態１や２のように、弾力押圧部２１が挿入部材１を間に介在して間接的に押圧する場合の他、弾力押圧部２１が内側辺部３に直接接触して押圧する場合をも含んでいる。即ち、この弾力押圧部２１は、他のソーラーパネルＳ２の端部Ｓｂを弾力的に支持することを意図したものであり、直接的でも間接的でも、内側辺部３を押圧して支持できていればよいものである。また、実施形態３のように、内側辺部３が存在しない場合には、弾力押圧部２１が支持金具１０を押圧するようにしても良く、或いは弾力押圧部２１を省略しても良い。
【００７３】
また、本発明のソーラーパネルの屋根上設置方法は、横フレームと縦フレームとを取り付けた後に、支持金具を横フレームに取り付けても良く、先に横フレームに支持金具を取り付けておき、その横フレームを縦フレームと共に取り付けるようにしても良い。
【００７４】
本実施形態では、横フレームに支持金具を取り付けて、縦方向にソーラーパネルを併設する場合について述べたが、これに限られるものではなく、例えば、縦フレームに対して、ソーラーパネルを横方向に併設する場合に隣接ソーラーパネル間に、本発明の取付金具を用いるようにしても良い。また、縦フレームと横フレームとがない架台であっても良く、架台の形状や位置に特定されない。
【００７５】
実施形態１及び２では、幅規制部４を設けたが、幅規制する必要性が不要な場合には、幅規制部４を省略することも可能である。
【００７６】
上記実施形態では、第１当接部１３及び第２当接部１７が挿入方向に見て、ずれて設けられているが、場合によっては、ほぼ同じ位置、あるいは逆方向にずれて設けても良い。
【００７７】
上記実施形態では、第１当接部１３、第２当接部１７及び弾力押圧部２１は、それぞれ１つだけであったが、これに限られるものではなく、それぞれ複数個にしても良く、それぞれ異なった数にしても良い。第１当接部１３、第２当接部１７及び弾力押圧部２１は、山形状に形成されているが、この形状に限られるものではなく、円弧状等の曲面にしても良い。
【００７８】
上記実施形態では、取付金具Ｔを屋根の縦方向に見てソーラーパネルＳの上側端部の左右２カ所及び下側端部の左右２カ所の計４カ所に設けたが、この数に限られるものではなく、ソーラーパネルの大きさや屋根の形状等に応じて、変更すれば良いものである。
【００７９】
上記実施形態では、ボルトＢを挿通する孔７，２５は長孔にして、位置調整できるようにしても良い。また、長孔にすることで、取り付け後に、ソーラーパネルが風の影響を受けた際に多少の移動を許容するようにしても良い。孔７，２５の代わりに、横フレームＫ１の孔Ｋ３や内側辺部３の孔（孔７に対応する孔）を長穴にしても良い。
【００８０】
上記実施形態では、幅規制部４を挿入部材１に設けたが、挿入部材１でなく、支持金具１０のベース部１１に設けても良い。また、弾力押圧部２１をベース部１１でなく、挿入部材１に設けても良い。
【００８１】
なお、支持金具１０と第１挿入辺部Ｓｂや挿入部材１（１０１）との間のガタツキなどによる振動や音が問題になる場合には、挿入部材１の上面や下面の必要な部分、或いは、支持金具１０の第１当接部１５や第２当接部１７にブチルゴム等の防振材を貼り付ける等の対策を施すようにしても良い。ただし、絶縁体で防振した場合は、金具間にアース線が必要である。
【００８２】
また、支持金具１０の高さを調整する必要がある場合には、適当な高さ調整部材を設ければ良い。例えば、支持金具１０と架台Ｋとの間にスペーサを挟むようにして、支持金具を架台に螺合するようにしても良い。
【００８３】
本発明の取付金具は、屋根の形状やタイプには特定されず、例えば、陸屋根、折半屋根、瓦屋根、コンクリート屋根、波板屋根等に適用できる。
【産業上の利用可能性】
【００８４】
本発明は、屋根上にソーラーパネルを取り付ける取付金具に適用できる。
【符号の説明】
【００８５】
Ｙ        屋根
Ｙ１      折半屋根
Ｋ        架台
Ｓ        ソーラーパネル
Ｓ２１    ソーラーパネル本体
Ｓ１      一方のソーラーパネル
Ｓｃ      第１挿入辺部（内側に突出する端部）
Ｓ２      他方のソーラーパネル
１        挿入部材
１０１    挿入部材
２        第２挿入辺部（外側に突出する端部）
２０１    第２挿入辺部
３        内側辺部
４        幅規制部
５        屈曲部
Ｔ        取付金具
１０      支持金具
１１      ベース部
１２      上面
１３      第１当接部
１５      対面部
１６      下面
１７      第２当接部
２０      挿入空間部
２１      弾力押圧部
２２      支持部
【図１】
2013159971.tif 000003
【図２】
2013159971.tif 000004
【図３】
2013159971.tif 000005
【図４】
2013159971.tif 000006
【図５】
2013159971.tif 000007
【図６】
2013159971.tif 000008
【図７】
2013159971.tif 000009
【図８】
2013159971.tif 000010
【図９】
2013159971.tif 000011